(57)【要約】【課題】家庭用の浴槽を簡単に改装する事により設置出来、介助対象者が浴槽を跨ぐ際の負担が無く、浴槽内で揺れる事無く自動昇降し、しかも電気代や充電の手間が掛からない入浴介助装置の実現。【解決手段】上記課題を解決する本発明の入浴介助装置は水圧により座椅子搭載台を昇降する機構と、水圧により横に伸縮して揺れを防ぐ機構と、加圧された水を供給・排水する為の給排水口により構成されることを特徴とする。【選択図】        図１
2004236871.tif 000002
【特許請求の範囲】
【請求項１】
入浴介助装置において、水圧により座椅子搭載台を昇降する機構と、水圧により横に伸縮して揺れを防ぐ機構と、加圧された水を供給・排水する為の給排水口により構成されることを特徴とする入浴介助装置。
【請求項２】
請求項１の水圧により座椅子搭載台を昇降する機構と水圧により横に伸縮して揺れを防ぐ機構が、内部に配されたジャバラ状チューブの膨脹を利用することを特徴とした請求項１の入浴介助装置。
【発明の詳細な説明】
【０００１】
【発明が属する技術分野】
この発明は、入浴介助装置に関するものである。
【０００２】
【従来の技術】
従来の入浴介助装置として、浴槽の上に設置した板に介助対象者の臀部を乗せスライドする事によって浴槽内に移動させる物や、介助対象者を扇状に回転移動させ浴槽外から浴槽内へ移動させる物があるが、いずれも浴槽の淵を越す為に足を上げなければならず、かなり介助対象者や介助者にとって負担となっている。
【０００３】
一方、介助対象者を吊り上げて浴槽内に降下させる方式の物や、浴槽の側面に設置されている扉が開閉する事により車椅子のまま入浴する事が出来る方式の物があるが、これらを家庭用で使用する為には大掛かりな風呂の改装が必要である。
【０００４】
一方、浴槽内部に設置した椅子を電動モーターによって昇降させる方式の家庭用入浴介助装置があるが、これらは感電事故防止の為どうしても電動モーターを椅子上部に設置しなければならず、この部分が邪魔となる為、当該発明の様に座椅子をスライドさせて介助対象者を座椅子ごと入浴させる事が出来ず、どうしても椅子が固定された方式にならざるを得ない。したがって、この方式でも浴槽の淵を越す為に足を上げなければならい負担は変わらない。また、これら家庭用入浴介助装置は浴槽の底に接地する部分の幅が狭くなっている事が多い。これらは浴槽底の湾曲を考慮したものであるが、その結果として横揺れや縦揺れが起こり、介助対象者に不安を与える事になる。加えて電動である為に電気代や充電の手間等も掛かる。
【０００５】
一方、当該発明と同様に水圧を使用した入浴介助装置として特開２００２−０１１０６７や特開２００１−１０４４３５があるが、いずれも浴槽を負担無く跨ぐ事や座椅子を乗せて昇降させる事を想定しておらず、又揺れに対する対策も万全では無い。
【０００６】
【発明が解決しようとする課題】
本発明は上記の事情に鑑み為されたもので、その解決しようとする課題は、家庭用の浴槽を簡単に改装する事により設置出来、介助対象者が浴槽を跨ぐ際の負担が無く、浴槽内で揺れる事無く自動昇降し、しかも電気代や充電の手間が掛からない入浴介助装置の実現である。
【０００７】
【課題を解決するための手段】
上記課題を解決する本発明の入浴介助装置は水圧により座椅子搭載台を昇降する機構と、水圧により横に伸縮して揺れを防ぐ機構と、加圧された水を供給・排水する為の給排水口により構成されることを特徴とする。
【０００８】
【発明の実施の形態】
本発明の実施の形態を実施の一例に基づき図面を参照して以下詳細に説明する。図１は、本発明の斜視図である。１は、ほぼ水平に配置された昇降台を示す。４はアーム５を介して昇降台１に連結された昇降用ピストンを示す。６は昇降用ピストンを内包した昇降用バーを示す。この昇降用バー６には縦方向にガイド切込７が施されている為、アーム５がこのガイド切込７を辿って昇降する事が出来る。図２は、本発明の内部構造を示す一部破断した斜視図である。昇降用シリンダー６の内部にジャバラ状チューブ９及び昇降用ピストン４を有する事を示す。図３は本発明を浴槽１０に設置し、介助対象者１１が座椅子１２に着席状態のまま座椅子分離及び昇降可能な車椅子１３から浴槽１０へスライドしている状態の一部断面前面図である。ジャバラ状チューブ９に水が充満すると昇降用ピストン４と横揺れ防止用ピストン８が張り出し、昇降台１を持ち上げると同時に横揺れ防止を行なう事を示す。本発明は、以上のような構成で次のようにして使用する。先ず介助対象者１１を図５のような座椅子分離及び昇降可能な車椅子１３に乗せて浴槽まで移動する。  次ぎに図３に示す通り、座椅子分離及び昇降可能な車椅子１３本体の高さを浴槽１０の高さと等しくなる様に調整し、介助対象者１１を座椅子１２に乗せたままの状態で浴槽１０の上面に配したスライド用レール１４に伝わせて浴槽１０の上部中央まで移動させる。この際、昇降用バー６及び昇降台１は浴槽１０上面より低い状態になる様に設定して置く。移動完了後、図４に示す通り、先ず水道１５より給排水口３へ水を給入する。水はジャバラ状チューブ９に入り、ジャバラ状チューブ９は昇降用バー６と横揺れ防止用バー２の中で膨らみ、昇降用ピストン４と横揺れ防止用ピストン８を押し出そうとする。押し出された昇降用ピストン８はアーム５を介して接続された昇降台１と共に座椅子１２と介助対象者１１を持ち上げ、押し出された横揺れ防止用ピストン８は浴槽１０の両側面を内側から突っ張る事によって当該装置の揺れを防止する。昇降台１が座椅子１２と介助対象者１１を浴槽１０の上面に配したスライド用レール１４の高さを超えて持ち上げている状態である時にスライド用レール１４を入浴に支障の無い位置まで移動させる。次ぎに給排水口３または水道１５側に取り付けられたバルブ等を開放する事によって介助対象者１１の体重による圧力が加わったジャバラ状チューブ９内の水は給排水口３から排水され、同時に昇降用ピストン４及び昇降台１が下降する。この様にして介助対象者１１は座椅子１２に座ったまま入浴する事が出来る。この降下時には介助対象者１１の体重によって横揺れ防止用ピストン８は横に張り出した状態のままとなる為、昇降台１は揺れる事無く昇降出来る。尚、入浴完了後は再び給排水口３へ水を給入する事により昇降台１を上昇させ再び座椅子１２をスライド用レール１４に乗せた後、スライドさせて車椅子１３本体へ移動させる。尚、本発明における昇降機構と横揺れ防止の為の伸縮機構は水道により加圧された水を利用する以外にも、人力により加圧された水や機械等によって加圧された水も使用できる。またこれらの機構を装置内部に配されたジャバラ状のチューブの膨脹を利用するだけでなく、ジャバ���でないチューブの膨脹や水が直接ピストンを押出す方式等も利用できる。
【０００９】
【実施例】
図６は本発明の実施例を示す斜視図である。先ず介助対象者１１の搬送に使用する車椅子は図５の様にジャバラ構造等に空気を注入する事により高さ調整が可能な事、又はジャッキアップ式により高さ調整が可能な事、又はダンパー等を使用する事により高さ調整が可能である事、或いはその他の方法により高さ調整が可能な事に加え座椅子１２が車椅子１３本体より分離でき、座椅子１２は膝を曲げた状態で座る事が出来る物、さらには座椅子１２の分離にはスライド用レールを用いる物が望ましい。この様な車椅子１３にて介助対象者１１を浴室に移動させ脱衣後、介助対象者１１を乗せた車椅子１３を浴槽１０の側面へ横付けさせる。この横付けの位置は車椅子１３側のスライド用レールと浴槽１０側のスライド用レール１４の位置を合わせる為、固定出来る事が望ましい。この位置にて車椅子１３側のスライド用レールと浴槽１０側のスライド用レール１４の高さが合うまで高さ調整を行ない、完了後、介助対象者１１を乗せた座椅子１２を車椅子１３より分離し両方のスライド用レール１４を伝わせて浴槽１０の上部中央まで移動させる。このスライド用レールには凹状または凸状のガイドが施されており、また座椅子１２の底面にはスライド用レールに噛み合うように凸状または凹状のガイドが施されている事が望ましい。次ぎに当該入浴介助装置の給排水口３へ水道１５より水を給入する。水はジャバラ状チューブ９に入り、ジャバラ状チューブ９は昇降用バー６と横揺れ防止用バー２の中で膨らみ昇降用ピストン４と横揺れ防止用ピストン８を押し出そうとする。押し出された昇降用ピストン４はアーム５を介して接続された昇降台１と共に座椅子１２と介助対象者１１を持ち上げ、押し出された横揺れ防止用ピストン８は浴槽１０の両側面を内側から突っ張る事によって当該装置の揺れを防止する。家庭用水道の水圧が平方センチメートル当たり約３キログラムである事から最大１００キログラムの介助対象者１１を持ち上げる事を想定すると昇降用バー６は内径８センチメートルのパイプ２本を使用する事が望ましく、横揺れ防止用ピストン８の先端には滑り防止の為のゴム等が付いている事が望ましい。昇降台１が座椅子１２と介助対象者１１を浴槽１０の上面に配したスライド用レール１４の高さを超えて持ち上げている状態である時にスライド用レール１４を入浴に支障の無い位置まで移動させる。その為、浴槽１０側のスライド用レール１４は前後にスライド移動できる形態にする事が望ましい。次ぎに給排水口３を開放する事によって介助対象者１１の体重による圧力が加わったジャバラ状チューブ９内の水は給排水口３から排水され、同時に昇降用ピストン４及び昇降台１が下降する。この様にして介助対象者１１は座椅子１２に座ったまま入浴する事が出来る。この降下時には介助対象者の体重によって横揺れ防止用ピストン８が横に張り出した状態のままとなる為、昇降台１は揺れる事無く昇降出来る。尚、入浴完了後は再び給排水口３へ水を給入する事により昇降台１を上昇させ再び座椅子１２をスライド用レール１４に乗せた後、スライドさせて車椅子１３本体へ移動させる。尚、水道の蛇口には給排水口３への給水と給排水口３からの排水をレバー等により切替える事のできる切替え装置を装着し、そこからホースにて給排水口３へ接続する形態が望ましい。
【００１０】
【発明の効果】
家庭用の浴槽を簡単に改装する事により設置出来、介助対象者が浴槽を跨ぐ際の負担が無く、浴槽内で揺れる事無く自動昇降し、しかも電気代や充電の手間が掛からない入浴介助装置を実現できた。
【図面の簡単な説明】
【図１】本発明の斜視図である。
【図２】本発明の内部構造を示す一部破断した斜視図である。
【図３】本発明の内部構造及び実施例を示す一部断面前面図である。
【図４】本発明の実施例を示す側面図である。
【図５】本発明の実施例で使用する座椅子分離及び昇降可能な車椅子の側面図である。
【図６】本発明の実施例を示す斜視図である。
【符号の説明】
１    昇降台
２    横揺れ防止用バー
３    給排水口
４    昇降用ピストン
５    アーム
６    昇降用バー
７    ガイド用切込
８    横揺れ防止用ピストン
９    ジャバラ状チューブ
１０    浴槽
１１    介助対象者
１２    座椅子
１３    座椅子分離及び昇降可能な車椅子
１４    スライド用レール
１５    水道
【図１】
2004236871.tif 000003
【図２】
2004236871.tif 000004
【図３】
2004236871.tif 000005
【図４】
2004236871.tif 000006
【図５】
2004236871.tif 000007
【図６】
2004236871.tif 000008